【手続補正書】
【提出日】平成31年4月21日(2019.4.21)
【手続補正１】
【補正対象書類名】特許請求の範囲
【補正対象項目名】全文
【補正方法】変更
【補正の内容】
【特許請求の範囲】
【請求項１】
広告及びゲームに関するプログラムを提供するサーバと、そのサーバとネットワークを介して接続された通信端末を有したゲームを利用した広告システムであって、
サーバから提供される広告サイトを閲覧可能とした広告閲覧手段と、
広告閲覧手段によって閲覧したユーザにゲームのプレイ権を付与するプレイ権付与手段と、
プレイ権付与手段によってプレイ権が付与されたユーザが、そのプレイ権を行使してゲームを行うと、そのゲーム結果に応じて特典を付与する特典付与手段を備えたことを特徴とするゲームを利用した広告システム。
【請求項２】
広告閲覧手段はサーバから提供される複数の広告サイトを選択的に閲覧可能としたことを特徴とする請求項１記載のゲームを利用した広告システム。
【請求項３】
ゲームの進行において、目的とする特典、または特典の取得可能性のレベルアップを行うレベルアップ手段が備えられていることを特徴とする請求項１〜２いずれか記載のゲームを利用した広告システム。
【請求項４】
前記レベルアップ手段は、広告を閲覧して得たポイントを利用して行われることを特徴とする請求項３記載のゲームを利用した広告システム。
【請求項５】
複数の広告サイトが集合したオンラインモールが形成されており、特定の広告サイトを閲覧した後に、再びオンラインモールに復帰した場合に、当該広告サイトにアクセスできる順番が後位に設定されることを特徴とする請求項１〜４いずれか記載のゲームを利用した広告システム。
【請求項６】
広告の表示当初は不完全な広告ビジュアルを表示させ、通信端末の操作により、完全な広告に移行する機能を備えたことを特徴とする請求項１〜５いずれか記載のゲームを利用した広告システム。
【請求項７】
特典のひとつとして賞金を獲得するルートが設定されており、所定の賞金を獲得した後に、段階的にさらに上の賞金を目指してチャレンジすることができる機能を備えたことを特徴とする請求項１〜６いずれか記載のゲームを利用した広告システム。
【請求項８】
実在の店舗、あるいは特定の場所にアクセスポイントを設定し、そのアクセスポイントに通信端末を接触させることにより、ゲームプレイ権またはポイントを取得可能とした請求項１〜７いずれか記載のゲームを利用した広告システム。
【手続補正２】
【補正対象書類名】明細書
【補正対象項目名】０００６
【補正方法】変更
【補正の内容】
【０００６】
前記目的を達成するための手段として本発明請求項１記載のゲームを利用した広告システムでは、広告及びゲームに関するプログラムを提供するサーバと、そのサーバとネットワークを介して接続された通信端末を有したゲームを利用した広告システムであって、サーバから提供される広告サイトを閲覧可能とした広告閲覧手段と、広告閲覧手段によって閲覧したユーザにゲームのプレイ権を付与するプレイ権付与手段と、プレイ権付与手段によってプレイ権が付与されたユーザが、そのプレイ権を行使してゲームを行うと、そのゲーム結果に応じて特典を付与する特典付与手段を備えたことを特徴とする。
請求項２記載のゲームを利用した広告システムでは、請求項１記載のゲームを利用した広告システムにおいて、広告閲覧手段はサーバから提供される複数の広告サイトを選択的に閲覧可能としたことを特徴とする。
【手続補正３】
【補正対象書類名】明細書
【補正対象項目名】０００７
【補正方法】変更
【補正の内容】
【０００７】
請求項３記載のゲームを利用した広告システムでは、請求項１〜２いずれか記載のゲームを利用した広告システムにおいて、ゲームの進行において、目的とする特典、または特典の取得可能性のレベルアップを行うレベルアップ手段が備えられていることを特徴とする。
【手続補正４】
【補正対象書類名】明細書
【補正対象項目名】０００８
【補正方法】変更
【補正の内容】
【０００８】
請求項４記載のゲームを利用した広告システムでは、請求項３記載のゲームを利用した広告システムにおいて、前記レベルアップ手段は、広告を閲覧して得たポイントを利用して行われることを特徴とする。
【手続補正５】
【補正対象書類名】明細書
【補正対象項目名】０００９
【補正方法】変更
【補正の内容】
【０００９】
請求項５記載のゲームを利用した広告システムでは、請求項１〜４いずれか記載のゲームを利用した広告システムにおいて、複数の広告サイトが集合したオンラインモールが形成されており、特定の広告サイトを閲覧した後に、再びオンラインモールに復帰した場合に、当該広告サイトにアクセスできる順番が後位に設定されることを特徴とする。
【手続補正６】
【補正対象書類名】明細書
【補正対象項目名】００１０
【補正方法】変更
【補正の内容】
【００１０】
請求項６記載のゲームを利用した広告システムでは、請求項１〜５いずれか記載のゲームを利用した広告システムにおいて、広告の表示当初は不完全な広告ビジュアルを表示させ、通信端末の操作により、完全な広告に移行する機能を備えたことを特徴とする。
【手続補正７】
【補正対象書類名】明細書
【補正対象項目名】００１１
【補正方法】変更
【補正の内容】
【００１１】
請求項７記載のゲームを利用した広告システムでは、請求項１〜６いずれか記載のゲームを利用した広告システムにおいて、特典のひとつとして賞金を獲得するルートが設定されており、所定の賞金を獲得した後に、段階的にさらに上の賞金を目指してチャレンジすることができる機能を備えたことを特徴とする。
【手続補正８】
【補正対象書類名】明細書
【補正対象項目名】００１２
【補正方法】変更
【補正の内容】
【００１２】
請求項８記載のゲームを利用した広告システムでは、請求項１〜７いずれか記載のゲームを利用した広告システムにおいて、実在の店舗、あるいは特定の場所にアクセスポイントを設定し、そのアクセスポイントに通信端末を接触させることにより、ゲームプレイ権またはポイントを取得可能とした。
【手続補正９】
【補正対象書類名】明細書
【補正対象項目名】００１３
【補正方法】変更
【補正の内容】
【００１３】
請求項１または２記載のゲームを利用した広告システムでは、サーバから提供される複数の広告サイトを選択的に閲覧可能とした広告閲覧手段を備えているので、インターネット上に展開されたオンラインモールの店舗の広告を閲覧することができる。
広告閲覧手段によって閲覧したユーザにゲームのプレイ権を付与するプレイ権付与手段を備えているので、店舗を閲覧する度にゲームをプレイする権利が得られる。
特典付与手段を備えているので、ユーザがゲームを行うと、そのゲーム結果に応じて特典を付与される。これにより、ゲーム利用に対する強い動機付けを与えることができ、ひいては広告閲覧頻度が高まる。
【手続補正１０】
【補正対象書類名】明細書
【補正対象項目名】００１４
【補正方法】変更
【補正の内容】
【００１４】
請求項３記載のゲームを利用した広告システムでは、レベルアップ手段が備えられているので、目的とする特典、または特典の取得可能性のレベルアップを行うことができ、ユーザのゲームに対する興味が持続される。
【手続補正１１】
【補正対象書類名】明細書
【補正対象項目名】００１５
【補正方法】変更
【補正の内容】
【００１５】
請求項４記載のゲームを利用した広告システムでは、レベルアップ手段は、広告を閲覧して得たポイントを利用して行われる構成としたので、ユーザのポイント収集への関心を高めることができ、広告が継続して閲覧される。
【手続補正１２】
【補正対象書類名】明細書
【補正対象項目名】００１６
【補正方法】変更
【補正の内容】
【００１６】
請求項５記載のゲームを利用した広告システムでは、複数の広告サイトが集合したオンラインモールが形成されており、特定の広告サイトを閲覧した後に、再びオンラインモールに復帰した場合に、当該広告サイトにアクセスできる順番が後位に設定されるので、同一店舗のみではなく、他の広告サイトの閲覧がスムーズに行われる。
【手続補正１３】
【補正対象書類名】明細書
【補正対象項目名】００１７
【補正方法】変更
【補正の内容】
【００１７】
請求項６記載のゲームを利用した広告システムでは、広告の表示当初は不完全な広告ビジュアルを表示させ、通信端末の操作により、完全な広告に移行する機能を備えているので、ユーザに対しては何の画像がでるだろうかという疑問や期待感を与え、広告に対する関心を高めることができる。
【手続補正１４】
【補正対象書類名】明細書
【補正対象項目名】００１８
【補正方法】変更
【補正の内容】
【００１８】
請求項７記載のゲームを利用した広告システムでは、賞金を獲得した後に、段階的にさらに上の賞金を目指してチャレンジすることができる機能を備えているので、ゲームに対する興味が持続される。
【手続補正１５】
【補正対象書類名】明細書
【補正対象項目名】００１９
【補正方法】変更
【補正の内容】
【００１９】
請求項８記載のゲームを利用した広告システムでは、実在の店舗、あるいは特定の場所にアクセスポイントを設定し、そのアクセスポイントに通信端末を接触させることにより、ゲームプレイ権またはポイントを取得可能としたので、実在する店舗への回遊動機付けがなされる。